【手続補正書】
【提出日】平成18年9月26日(2006.9.26)
【手続補正１】
【補正対象書類名】特許請求の範囲
【補正対象項目名】全文
【補正方法】変更
【補正の内容】
【特許請求の範囲】
【請求項１】
電子的に駆動される流量制御弁と、
前記電子的に駆動される流量制御弁を制御するマイクロプロセッサと、
第１の空気力的に駆動される制御弁と、
前記空気力的に駆動される弁を制御するための、第１の空気力的に駆動されるタイミングユニットと、
を含み、
前記電子的に駆動される流量制御弁は第１の時間に作動し、
前記第１の空気力的に駆動される制御弁は第２の時間に作動する換気装置。
【請求項２】
前記第１の空気力的に駆動される制御弁に接続された電子的にセットされる流量制御弁、を有する請求項１記載の換気装置。
【請求項３】
前記電子的にセットされる流量制御弁が、前記電子的に駆動される流量制御弁の作動中にセットされる請求項２記載の換気装置。
【請求項４】
前記電子的に駆動される流量制御弁が複数の換気モードを実現するよう作動することを特徴とする請求項１記載の換気装置。
【請求項５】
第２の空気力的に駆動される制御弁と、
前記第２の空気力的に駆動される制御弁を制御するための、第２の空気的に駆動されるタイミングユニットと、
を有する請求項１記載の換気装置。
【請求項６】
主用換気サブシステムと、
複数のモードで作動する供給弁と、
空気力的に作動する弁と、前記空気的に作動する弁を作動させるためのタイミングユニットと、を有するバックアップ用換気サブシステムと、
前記空気力的に作動する弁に接続され、前記空気力的に作動する弁から出力を受け取る流量制御デバイスと、
を有し、
前記供給弁は、第１の作動条件の集合の下で前記主用換気サブシステムに対して供給を行い、
前記供給弁は、第２の作動条件の集合の下で前記バックアップ用換気サブシステムに対して供給を行う換気装置。
【請求項７】
換気流量制御装置と、
前記換気流量制御装置を調節するコントローラと、
を有し、
前記コントローラは、第１のモードで作動することにより、前記換気流量制御装置を調整して、第１の換気モードの集合における換気を実現し、
前記コントローラは、第２のモードで作動することにより、前記換気流量制御装置を調整して、第２の換気モードの集合における換気を実現する換気装置。
【請求項８】
前記第１の換気モードの集合が前記第２の換気モードの集合の部分集合である請求項７記載の換気装置。
【請求項９】
前記第１の換気モードが持続陽圧気道圧を伴う呼吸同期性間欠的強制換気を含む請求項８記載の換気装置。
【請求項１０】
前記第２の換気モードが調節機械換気を含む請求項９記載の換気装置。
【請求項１１】
前記第２の換気モードが、（ａ）呼気終末陽圧を伴う調節機械換気、（ｂ）持続陽圧気道圧、（ｃ）呼吸同期性間欠的強制換気、（ｄ）持続陽圧気道圧を伴う呼吸同期性間欠的強制換気、（ｅ）圧力補助換気、（ｆ）圧力補助換気及び持続陽圧気道圧を伴う呼吸同期性間欠的強制換気、（ｇ）圧力調節換気、及び（ｈ）持続陽圧気道圧を伴う圧力調節換気、からなるグループの中の少なくとも１つを含む、請求項９記載の換気装置。
【請求項１２】
換気装置であって、
あるケースにおいては、第１の換気モードの集合の中の１つの換気モードにおいて換気を行う手段と、
第２の換気モードの集合の中の少なくとも１つの換気モードを抑制することにより第１の換気モードの集合を生成する手段と、
別のあるケースにおいては、前記第２の換気モードの集合の中の１つの換気モードで換気を行う手段と、
を備える換気装置。
【請求項１３】
前記第１の換気モードが持続陽圧気道圧を伴う呼吸同期性間欠的強制換気を含む請求項１２記載の換気装置。
【請求項１４】
前記第２の換気モードが調節機械換気を含む請求項１３記載の換気装置。
【請求項１５】
前記第２の換気モードが、（ａ）呼気終末陽圧を伴う調節機械換気、（ｂ）持続陽圧気道圧、（ｃ）呼吸同期性間欠的強制換気、（ｄ）持続陽圧気道圧を伴う呼吸同期性間欠的強制換気、（ｅ）圧力補助換気、（ｆ）圧力補助換気及び持続陽圧気道圧を伴う呼吸同期性間欠的強制換気、（ｇ）圧力調節換気、及び（ｈ）持続陽圧気道圧を伴う圧力調節換気、からなるグループの中の少なくとも１つを含む、請求項１３記載の換気装置。
【請求項１６】
患者に対する前記換気装置の非接続状態を検出する手段と、
前記非接続状態が検出され、かつ前記換気装置が持続陽圧気道圧用のモードで作動しているときに、間欠的にガスを噴出させる手段と、
を更に含む請求項１３記載の換気装置。
【請求項１７】
換気装置であって、
換気対象の患者の体長を表すデータの入力を受け付ける手段と、
入力された前記データに基づき少なくとも１つの換気パラメータを計算する手段と、
計算した前記少なくとも１つの換気パラメータに従って換気を行う手段と、
を含む換気装置。
【請求項１８】
前記換気パラメータが、（ａ）一回呼吸量、（ｂ）呼吸数、（ｃ）吸気流量、（ｄ）吸気呼気比，（ｅ）吸気時間、及び（ｆ）１分換気量、からなるグループの中の少なくとも１つを含む、請求項１７記載の換気装置。
【請求項１９】
入力された前記データに基づき複数の換気パラメータが計算される請求項１７記載の換気装置。
【請求項２０】
一回呼吸量及び呼吸数を前記換気パラメータとして含む請求の請求項１９記載の換気装置。
【請求項２１】
一回呼吸量及び吸気流量を前記換気パラメータとして含む請求項１９記載の換気装置。
【請求項２２】
呼吸数及び吸気流量を前記換気パラメータとして含む請求項１９記載の換気装置。
【請求項２３】
換気装置であって、
換気対象の患者の体長を表すデータの入力を受け付ける手段と、
入力された前記データに基づき少なくとも１つの換気アラーム設定を求める手段と、
前記少なくとも１つの換気アラーム設定に従い、少なくとも一つの換気アラームをセットする手段と、
を含む換気装置。
【請求項２４】
入力された前記データに基づき少なくとも１つの換気パラメータを計算する手段と、
計算した前記少なくとも一つの換気パラメータに従って換気を行う手段と、
を更に含む請求項２３記載の換気装置。
【請求項２５】
前記換気パラメータが、（ａ）一回呼吸量、（ｂ）呼吸数、及び（ｃ）吸気流量、からなるグループの中の少なくとも１つを含む、請求項２４記載の換気装置。
【請求項２６】
入力された前記データに基づき複数の換気パラメータが計算される請求項２４記載の換気装置。
【請求項２７】
（ａ）一回呼吸量及び呼吸数、（ｂ）一回呼吸量及び吸気流量、及び（ｃ）呼吸数及び吸気流量、からなるグループの中の少なくとも１つを前記換気パラメータとして含む請求項２６記載の換気装置。
【請求項２８】
入力された前記データに基づき、少なくとも１つの換気限界値を計算する手段と、
計算した前記少なくとも一つの換気限界値に従って、少なくとも１つの換気パラメータを制限する手段と、
を更に含む請求項２４記載の換気装置。
【請求項２９】
前記換気限界値が、ＰＳＶ圧力及びＰＣＶ圧力からなるグループの中の少なくとも１つを含む請求項２８記載の換気装置。
【請求項３０】
入力された前記データに基づき、少なくとも１つの換気パラメータを計算する手段と、
計算した前記少なくとも１つの換気パラメータにしたがって換気を行う手段と、
を含む請求項２８記載の換気装置。
【請求項３１】
前記換気パラメータが、（ａ）一回呼吸量、（ｂ）呼吸数、及び（ｃ）吸気流量、からなるグループの中の少なくとも１つを含む請求項３０記載の換気装置。
【請求項３２】
入力された前記データに基づき複数の換気パラメータが計算される請求項３０記載の換気装置。
【請求項３３】
一回呼吸量及び呼吸数を前記換気パラメータとして含む請求項３２記載の換気装置。
【請求項３４】
一回呼吸量及び吸気流量を前記換気パラメータとして含む請求項３２記載の換気装置。
【請求項３５】
呼吸数及び吸気流量を前記換気パラメータとして含む請求項３２記載の換気装置。
【請求項３６】
換気装置であって、
吸気圧を第１の上昇率に保ちつつ第１の換気呼吸を提供する手段と、
吸気圧を第２の上昇率に保ちつつ第２の換気呼吸を提供する手段と、
前記第１及び第２の換気呼吸の各々を評価する手段と、
所望の圧力波形を実現できるよう前記上昇率を選択する手段と、
選択した前記上昇率により換気を行う手段と、
を含む換気装置。
【請求項３７】
換気装置であって、
換気対象の患者の体長のみを表すデータの入力を受け付ける手段、
入力された前記データに基づき、吸気パラメータの上昇率を含む少なくとも１つの換気パラメータを計算する手段と、
吸気圧を第２の上昇率に保ちつつ第１の換気呼吸を提供する手段と、
吸気圧を第２の上昇率に保ちつつ第２の換気呼吸を提供する手段と、
前記第１及び第２の換気呼吸の各々を評価する手段と、
所望の圧力波形を実現できるよう前記上昇率を選択する手段と、
選択した前記上昇率により換気を行する手段と、
を備える換気装置。
【請求項３８】
選択した前記上昇率が矩形状の圧力波形を実現する請求項３６又は３７に記載の換気装置。
【請求項３９】
選択した前記上昇率が、リンギングが最小の矩形状の圧力波形を実現する請求項３６又は３７に記載の換気装置。
【請求項４０】
前記上昇率が、複数の上昇率の評価に基づき適応的に選択される請求項３６又は３７に記載の換気装置。
【請求項４１】
換気対象の患者の体長を表すデータの入力を受け付ける手段と、
入力された前記データに基づき少なくとも１つの換気パラメータを算出する手段と、
計算した前記少なくとも１つの換気パラメータに従って換気を行う手段と、
を更に含む請求項３６記載の換気装置。
【請求項４２】
換気システムであって、
換気対象の患者の体長を表すデータの入力を受け付ける手段と、
入力された前記データに基づき少なくとも１つの換気限界値を計算する手段と、
計算した前記少なくとも１つの換気限界値に従って、少なくとも１つの換気パラメータを制限する手段と、
を含む換気システム。
【請求項４３】
前記換気限界値が、（ａ）ＰＳＶ圧力、（ｂ）ＰＣＶ圧力、（ｃ）ピーク吸気圧力、（ｄ）呼吸数、（ｅ）一回呼吸量、（ｆ）呼気吸気比、及び（ｇ）吸気時間、からなるグループの中の少なくとも１つを含む、請求項４２記載の換気システム。
。
【請求項４４】
入力された前記データに基づき少なくとも１つの換気パラメータを計算する手段と、
計算した前記少なくとも１つの換気パラメータに従って換気を行う手段と、
を更に含む請求項４２記載の換気システム。
【請求項４５】
前記換気限界値が、ＰＳＶ圧力及びＰＣＶ圧力からなるグループの中の少なくとも１つを含む請求項４４記載の換気システム。
【請求項４６】
前記換気パラメータが一回呼吸量である請求項４４記載の換気システム。
【請求項４７】
前記換気パラメータが呼吸数である請求項４４記載の換気システム。
【請求項４８】
前記換気パラメータが吸気流量である請求項４４記載の換気システム。
【請求項４９】
入力された前記データに基づき複数の換気パラメータが計算される請求項４４記載の換気システム。
【請求項５０】
（ａ）一回呼吸量及び呼吸数、（ｂ）一回呼吸量及び吸気流量、及び（ｃ）呼吸数及び吸気流量、からなるグループの中の少なくとも１つを前記換気パラメータとして含む請求項４９記載の換気システム。